(57)【特許請求の範囲】
【請求項１】
建造物の階下空間（Ｃ１）と階上空間（Ｃ２）とを仕切る床スラブ（ＳＬ）に、その両空間（Ｃ１，Ｃ２）間での物品の移動を許容する矩形状の開口（Ｈ）を設け、その開口（Ｈ）周縁部の相対向する二辺には、互いに協働して該開口（Ｈ）を塞ぎ得る一対の床蓋（Ｔ，Ｔ）を、その各床蓋（Ｔ）が床面（ｆ）として機能する伏倒位置と第１の安全柵として機能する起立位置との間を起伏し得るように設け、更にその開口（Ｈ）周縁部の相対向する他の二辺には、第２の安全柵として機能し得る枠体（Ｓ１，Ｓ２）をそれぞれ設けた、建造物における床スラブの開口開閉装置において、
前記開口（Ｈ）周縁部の相対向する他の二辺に、床面（ｆ）から一段下がった収納用凹部（Ｈａ）がそれぞれ形成されると共に、その各凹部（Ｈａ）に、該他の二辺に沿って直線状に延びる横桟（Ｓｙ）と、この横桟（Ｓｙ）及び該凹部（Ｈａ）の内面間を連結する複数の縦桟（Ｓｔ）とを少なくとも有する前記枠体（Ｓ１，Ｓ２）が収納され、
その各縦桟（Ｓｔ）は、これが前記凹部（Ｈａ）内で折り畳まれた折畳み状態と、前記凹部（Ｈａ）の上方に延びる展開状態とをとり得るよう折り畳み式に構成されていて、該折畳み状態では横桟（Ｓｙ）を前記凹部（Ｈａ）内に収まる下降位置に、また該展開状態では横桟（Ｓｙ）を床面（ｆ）から所定高さまで張出す上昇位置にそれぞれ保持可能であり、
前記床蓋（Ｔ，Ｔ）は、これが前記伏倒位置にあるときに前記枠体（Ｓ１，Ｓ２）の内方側に隣接配置され、
前記床蓋（Ｔ）と床スラブ（ＳＬ）間には、該床蓋（Ｔ）を強制的に起伏駆動し得る起伏駆動装置（Ｄ）が設けられ、
その起伏駆動装置（Ｄ）は、床蓋（Ｔ）に一端が連結されるチェーン（ＣＨ）と、そのチェーン（ＣＨ）の中間部が巻き付けられるようにして前記開口（Ｈ）の周縁部に回転自在に軸支されるスプロケット（ＳＰ）と、回転力を入力可能な入力部（Ｇｉ）を有し且つ該入力部（Ｇｉ）に加わる回転力を減速して前記スプロケット（ＳＰ）に伝達する減速機（Ｇ）と、前記スプロケット（ＳＰ）を任意の回転位置に保持し得るブレーキ手段（８）とを備えることを特徴とする、建造物における床スラブの開口開閉装置。
【請求項２】
建造物の階下空間（Ｃ１）と階上空間（Ｃ２）とを仕切る床スラブ（ＳＬ）に、その両空間（Ｃ１，Ｃ２）間での物品の移動を許容する矩形状の開口（Ｈ）を設け、その開口（Ｈ）周縁部の一辺には、該開口（Ｈ）を塞ぎ得る床蓋（Ｔ）を、その床蓋（Ｔ）が床面（ｆ）として機能する伏倒位置と第１の安全柵として機能する起立位置との間を起伏し得るように設け、更にその開口（Ｈ）周縁部の他の三辺には、第２の安全柵として機能し得る枠体（Ｓ１〜Ｓ３）をそれぞれ設けた、建造物における床スラブの開口開閉装置であって、
前記開口（Ｈ）周縁部の前記三辺に、床面（ｆ）から一段下がった収納用凹部（Ｈａ）がそれぞれ形成されると共に、その各凹部（Ｈａ）に、該三辺に沿って直線状に延びる横桟（Ｓｙ）と、この横桟（Ｓｙ）及び該凹部（Ｈａ）の内面間を連結する複数の縦桟（Ｓｔ）とを少なくとも有する前記枠体（Ｓ１〜Ｓ３）が収納され、
その各縦桟（Ｓｔ）は、これが前記凹部（Ｈａ）内で折り畳まれた折畳み状態と、前記凹部（Ｈａ）の上方に延びる展開状態とをとり得るよう折り畳み式に構成されていて、該折畳み状態では横桟（Ｓｙ）を前記凹部（Ｈａ）内に収まる下降位置に、また該展開状態では横桟（Ｓｙ）を床面（ｆ）から所定高さまで張出す上昇位置にそれぞれ保持可能であり、
前記床蓋（Ｔ）は、これが前記伏倒位置にあるときに前記枠体（Ｓ１〜Ｓ３）の内方側に隣接配置され、
前記床蓋（Ｔ）と床スラブ（ＳＬ）間には、該床蓋（Ｔ）を強制的に起伏駆動し得る起伏駆動装置（Ｄ）が設けられ、
その起伏駆動装置（Ｄ）は、床蓋（Ｔ）に一端が連結されるチェーン（ＣＨ）と、そのチェーン（ＣＨ）の中間部が巻き付けられるようにして前記開口（Ｈ）の周縁部に回転自在に軸支されるスプロケット（ＳＰ）と、回転力を入力可能な入力部（Ｇｉ）を有し且つ該入力部（Ｇｉ）に加わる回転力を減速して前記スプロケット（ＳＰ）に伝達する減速機（Ｇ）と、前記スプロケット（ＳＰ）を任意の回転位置に保持し得るブレーキ手段（８）とを備えることを特徴とする、建造物における床スラブの開口開閉装置。
【請求項３】
建造物の階下空間（Ｃ１）と階上空間（Ｃ２）とを仕切る床スラブ（ＳＬ）に、その両空間（Ｃ１，Ｃ２）間での物品の移動を許容する矩形状の開口（Ｈ）を設け、その開口（Ｈ）周縁部の相対向する二辺には、互いに協働して該開口（Ｈ）を塞ぎ得る一対の床蓋（Ｔ，Ｔ）を、その各床蓋（Ｔ）が床面（ｆ）として機能する伏倒位置と第１の安全柵として機能する起立位置との間を起伏し得るように設け、更にその開口（Ｈ）周縁部の相対向する他の二辺には、第２の安全柵として機能し得る枠体（Ｓ１，Ｓ２）をそれぞれ設けた、建造物における床スラブの開口開閉装置であって、
前記床蓋（Ｔ）が、各々長方形状に形成されて互いに隣接する複数の蓋体（Ｔｉ，Ｔｏ）の隣接端部相互を屈折可能に枢支連結して構成されると共に、その一端側の蓋体（Ｔｏ）の外端が前記開口（Ｈ）周縁部に枢支連結され、また他端側の蓋体（Ｔｉ）と前記床スラブ（ＳＬ）との間に、該複数の蓋体（Ｔｉ，Ｔｏ）を起立させるように駆動し得る起伏駆動装置（Ｄ）が介装されるものにおいて、
前記開口（Ｈ）周縁部の相対向する他の二辺に、床面（ｆ）から一段下がった収納用凹部（Ｈａ）がそれぞれ形成されると共に、その各凹部（Ｈａ）に、該他の二辺に沿って直線状に延びる横桟（Ｓｙ）と、この横桟（Ｓｙ）及び該凹部（Ｈａ）の内面間を連結する複数の縦桟（Ｓｔ）とを少なくとも有する前記枠体（Ｓ１，Ｓ２）が収納され、
その各縦桟（Ｓｔ）は、これが前記凹部（Ｈａ）内で折り畳まれた折畳み状態と、前記凹部（Ｈａ）の上方に延びる展開状態とをとり得るよう折り畳み式に構成されていて、該折畳み状態では横桟（Ｓｙ）を前記凹部（Ｈａ）内に収まる下降位置に、また該展開状態では横桟（Ｓｙ）を床面（ｆ）から所定高さまで張出す上昇位置にそれぞれ保持可能であり、
前記床蓋（Ｔ，Ｔ）は、これが前記伏倒位置にあるときに前記枠体（Ｓ１，Ｓ２）の内方側に隣接配置され、
前記収容用凹部（Ｈａ）の内面は、床スラブ（ＳＬ）に固定される縁枠（Ｆ）で覆われていて、その縁枠（Ｆ）に前記枠体（Ｓ１，Ｓ２）の横桟（Ｓｙ）が縦桟（Ｓｔ）を介して連結され、
前記他端側の蓋体（Ｔｉ）の自由端部に回転自在に支持したローラ（Ｒ）が、前記枠体（Ｓ１，Ｓ２）の内方側で前記縁枠（Ｆ）上を転動可能であることを特徴とする、建造物における床スラブの開口開閉装置。
【請求項４】
建造物の階下空間（Ｃ１）と階上空間（Ｃ２）とを仕切る床スラブ（ＳＬ）に、その両空間（Ｃ１，Ｃ２）間での物品の移動を許容する矩形状の開口（Ｈ）を設け、その開口（Ｈ）周縁部の一辺には、該開口（Ｈ）を塞ぎ得る床蓋（Ｔ）を、その床蓋（Ｔ）が床面（ｆ）として機能する伏倒位置と第１の安全柵として機能する起立位置との間を起伏し得るように設け、更にその開口（Ｈ）周縁部の他の三辺には、第２の安全柵として機能し得る枠体（Ｓ１〜Ｓ３）をそれぞれ設けた、建造物における床スラブの開口開閉装置であって、
前記床蓋（Ｔ）が、各々長方形状に形成されて互いに隣接する複数の蓋体（Ｔｉ，Ｔｏ）の隣接端部相互を屈折可能に枢支連結して構成されると共に、その一端側の蓋体（Ｔｏ）の外端が前記開口（Ｈ）周縁部に枢支連結され、また他端側の蓋体（Ｔｉ）と前記床スラブ（ＳＬ）との間に、該複数の蓋体（Ｔｉ，Ｔｏ）を起立させるように駆動し得る起伏駆動装置（Ｄ）が介装されるものにおいて、
前記開口（Ｈ）周縁部の前記三辺に、床面（ｆ）から一段下がった収納用凹部（Ｈａ）がそれぞれ形成されると共に、その各凹部（Ｈａ）に、該三辺に沿って直線状に延びる横桟（Ｓｙ）と、この横桟（Ｓｙ）及び該凹部（Ｈａ）の内面間を連結する複数の縦桟（Ｓｔ）とを少なくとも有する前記枠体（Ｓ１〜Ｓ３）が収納され、
その各縦桟（Ｓｔ）は、これが前記凹部（Ｈａ）内で折り畳まれた折畳み状態と、前記凹部（Ｈａ）の上方に延びる展開状態とをとり得るよう折り畳み式に構成されていて、該折畳み状態では横桟（Ｓｙ）を前記凹部（Ｈａ）内に収まる下降位置に、また該展開状態では横桟（Ｓｙ）を床面（ｆ）から所定高さまで張出す上昇位置にそれぞれ保持可能であり、
前記床蓋（Ｔ）は、これが前記伏倒位置にあるときに前記枠体（Ｓ１〜Ｓ３）の内方側に隣接配置され、
前記収容用凹部（Ｈａ）の内面は、床スラブ（ＳＬ）に固定される縁枠（Ｆ）で覆われていて、その縁枠（Ｆ）に前記枠体（Ｓ１〜Ｓ３）の横桟（Ｓｙ）が縦桟（Ｓｔ）を介して連結され、
前記他端側の蓋体（Ｔｉ）の自由端部に回転自在に支持したローラ（Ｒ）が、前記枠体（Ｓ１〜Ｓ３）の内方側で前記縁枠（Ｆ）上を転動可能であることを特徴とする、建造物における床スラブの開口開閉装置。
【請求項５】
前記床蓋（Ｔ）は、各々長方形状に形成されて互いに隣接する複数の蓋体（Ｔｉ，Ｔｏ）の隣接端部相互を屈折可能に枢支連結して構成されると共に、その一端側の蓋体（Ｔｏ）の外端が前記開口（Ｈ）周縁部に枢支連結され、また他端側の蓋体（Ｔｉ）の自由端部に前記チェーン（ＣＨ）の前記一端が連結されることを特徴とする、請求項１又は２に記載の建造物における床スラブの開口開閉装置。
【請求項６】
前記収容用凹部（Ｈａ）の内面は、床スラブ（ＳＬ）に固定される縁枠（Ｆ）で覆われていて、その縁枠（Ｆ）に前記枠体（Ｓ１，Ｓ２；Ｓ１〜Ｓ３）の横桟（Ｓｙ）が縦桟（Ｓｔ）を介して連結され、前記他端側の蓋体（Ｔｉ）の自由端部に回転自在に支持したローラ（Ｒ）が、前記枠体（Ｓ）の内方側で前記縁枠（Ｆ）上を転動可能であることを特徴とする、請求項５に記載の建造物における床スラブの開口開閉装置。
【発明の詳細な説明】
【技術分野】
【０００１】
本発明は、建造物における床スラブの開口開閉装置、特に階下空間と階上空間とを仕切る床スラブに、その両空間の相互間での物品の移動を許容する矩形状の開口を設け、その開口周縁部の相対向する少なくとも一辺には、該開口を塞ぎ得る少なくとも１個の床蓋を、その床蓋が床面として機能する伏倒位置と第１の安全柵として機能する起立位置との間を起伏し得るように設け、更にその開口周縁部の他の二辺又は三辺には、第２の安全柵として機能し得る枠体をそれぞれ設けてなる床スラブの開口開閉装置に関する。
【背景技術】
【０００２】
上記床スラブの開口開閉装置は、例えば下記特許文献１に示されるように従来公知であり、その従来装置は、床蓋及び枠体を何れも起立位置に保持して開口を開いた状態にしておき、階下空間と階上空間との間で、クレーン、ウインチ等の昇降装置を用いて機器や資材等の物品を移動させるのに用いられる。
【先行技術文献】
【特許文献】
【０００３】
【特許文献１】特開平９−２５６６５８号公報
【発明の概要】
【発明が解決しようとする課題】
【０００４】
ところが従来装置では、第２の安全柵として機能する矩形状の枠体の基端が開口周縁部に回動可能に軸支されており、開口の閉塞状態では枠体及び床蓋の何れもが伏倒位置に置かれて上下に互いに重なり合う配置となるため、床蓋に、枠体を収納する干渉防止用の凹部を特別に設ける必要があり、それだけ床蓋の構造が複雑化して製作コストが嵩む問題があった。
【０００５】
また従来装置では、床蓋の起伏回動を容易化するために、歯車機構とカウンタウエイトを利用した操作力軽減機構を床スラブの開口周縁部に設置して、該機構に床蓋を連動、連結しているが、床蓋の開放時に大型重量部品であるカウンタウエイトが階下空間に少なからず下がり、障害物となる等の問題もあった。
【０００６】
本発明は、上記に鑑み提案されたものであり、従来の上記問題を簡単な構造で解決できるようにした建造物における床スラブの開口開閉装置を提供することを目的とする。
【課題を解決するための手段】
【０００７】
上記目的を達成するために、請求項１の発明は、建造物の階下空間と階上空間とを仕切る床スラブに、その両空間の相互間での物品の移動を許容する矩形状の開口を設け、その開口周縁部の相対向する二辺には、互いに協働して該開口を塞ぎ得る一対の床蓋を、その各床蓋が床面として機能する伏倒位置と第１の安全柵として機能する起立位置との間を起伏し得るように設け、更にその開口周縁部の相対向する他の二辺には、第２の安全柵として機能し得る枠体をそれぞれ設けた、建造物における床スラブの開口開閉装置において、前記開口周縁部の相対向する他の二辺に、床面から一段下がった収納用凹部がそれぞれ形成されると共に、その各凹部に、該他の二辺に沿って直線状に延びる横桟と、この横桟及び該凹部の内面間を連結する複数の縦桟とを少なくとも有する前記枠体が収納され、その各縦桟は、これが前記凹部内で折り畳まれた折畳み状態と、前記凹部の上方に延びる展開状態とをとり得るよう折り畳み式に構成されていて、該折畳み状態では横桟を前記凹部内に収まる下降位置に、また該展開状態では横桟を床面から所定高さまで張出す上昇位置にそれぞれ保持可能であり、前記床蓋は、これが前記伏倒位置にあるときに前記枠体の内方側に隣接配置され、前記床蓋と床スラブ間には、該床蓋を強制的に起伏駆動し得る起伏駆動装置が設けられ、その起伏駆動装置は、床蓋に一端が連結されるチェーンと、そのチェーンの中間部が巻き付けられるようにして前記開口の周縁部に回転自在に軸支されるスプロケットと、回転力を入力可能な入力部を有し且つ該入力部に加わる回転力を減速して前記スプロケットに伝達する減速機と、前記スプロケットを任意の回転位置に保持し得るブレーキ手段とを備えることを特徴としており、また、請求項２の発明は、建造物の階下空間と階上空間とを仕切る床スラブに、その両空間の相互間での物品の移動を許容する矩形状の開口を設け、その開口周縁部の一辺には、該開口を塞ぎ得る床蓋を、その床蓋が床面として機能する伏倒位置と第１の安全柵として機能する起立位置との間を起伏し得るように設け、更にその開口周縁部の他の三辺には、第２の安全柵として機能し得る枠体をそれぞれ設けた、建造物における床スラブの開口開閉装置であって、前記開口周縁部の前記三辺に、床面から一段下がった収納用凹部がそれぞれ形成されると共に、その各凹部に、該三辺に沿って直線状に延びる横桟と、この横桟及び該凹部の内面間を連結する複数の縦桟とを少なくとも有する前記枠体が収納され、その各縦桟は、これが前記凹部内で折り畳まれた折畳み状態と、前記凹部の上方に延びる展開状態とをとり得るよう折り畳み式に構成されていて、該折畳み状態では横桟を前記凹部内に収まる下降位置に、また該展開状態では横桟を床面から所定高さまで張出す上昇位置にそれぞれ保持可能であり、前記床蓋は、これが前記伏倒位置にあるときに前記枠体の内方側に隣接配置され、前記床蓋と床スラブ間には、該床蓋を強制的に起伏駆動し得る起伏駆動装置が設けられ、その起伏駆動装置は、床蓋に一端が連結されるチェーンと、そのチェーンの中間部が巻き付けられるようにして前記開口の周縁部に回転自在に軸支されるスプロケットと、回転力を入力可能な入力部を有し且つ該入力部に加わる回転力を減速して前記スプロケットに伝達する減速機と、前記スプロケットを任意の回転位置に保持し得るブレーキ手段とを備えることを特徴とする。
【０００８】
また請求項３の発明は、建造物の階下空間と階上空間とを仕切る床スラブに、その両空間の相互間での物品の移動を許容する矩形状の開口を設け、その開口周縁部の相対向する二辺には、互いに協働して該開口を塞ぎ得る一対の床蓋を、その各床蓋が床面として機能する伏倒位置と第１の安全柵として機能する起立位置との間を起伏し得るように設け、更にその開口周縁部の相対向する他の二辺には、第２の安全柵として機能し得る枠体をそれぞれ設けた、建造物における床スラブの開口開閉装置であって、前記床蓋が、各々長方形状に形成されて互いに隣接する複数の蓋体の隣接端部相互を屈折可能に枢支連結して構成されると共に、その一端側の蓋体の外端が前記開口周縁部に枢支連結され、また他端側の蓋体と前記床スラブとの間に、該複数の蓋体を起立させるように駆動し得る起伏駆動装置が介装されるものにおいて、前記開口周縁部の相対向する他の二辺に、床面から一段下がった収納用凹部がそれぞれ形成されると共に、その各凹部に、該他の二辺に沿って直線状に延びる横桟と、この横桟及び該凹部の内面間を連結する複数の縦桟とを少なくとも有する前記枠体が収納され、その各縦桟は、これが前記凹部内で折り畳まれた折畳み状態と、前記凹部の上方に延びる展開状態とをとり得るよう折り畳み式に構成されていて、該折畳み状態では横桟を前記凹部内に収まる下降位置に、また該展開状態では横桟を床面から所定高さまで張出す上昇位置にそれぞれ保持可能であり、前記床蓋は、これが前記伏倒位置にあるときに前記枠体の内方側に隣接配置され、前記収容用凹部の内面は、床スラブに固定される縁枠で覆われていて、その縁枠に前記枠体の横桟が縦桟を介して連結され、前記他端側の蓋体の自由端部に回転自在に支持したローラが、前記枠体の内方側で前記縁枠上を転動可能であることを特徴としている。
【０００９】
また請求項４の発明は、建造物の階下空間と階上空間とを仕切る床スラブに、その両空間の相互間での物品の移動を許容する矩形状の開口を設け、その開口周縁部の一辺には、該開口を塞ぎ得る床蓋を、その床蓋が床面として機能する伏倒位置と第１の安全柵として機能する起立位置との間を起伏し得るように設け、更にその開口周縁部の他の三辺には、第２の安全柵として機能し得る枠体をそれぞれ設けた、建造物における床スラブの開口開閉装置であって、前記床蓋が、各々長方形状に形成されて互いに隣接する複数の蓋体の隣接端部相互を屈折可能に枢支連結して構成されると共に、その一端側の蓋体の外端が前記開口周縁部に枢支連結され、また他端側の蓋体と前記床スラブとの間に、該複数の蓋体を起立させるように駆動し得る起伏駆動装置が介装されるものにおいて、前記開口周縁部の前記三辺に、床面から一段下がった収納用凹部がそれぞれ形成されると共に、その各凹部に、該三辺に沿って直線状に延びる横桟と、この横桟及び該凹部の内面間を連結する複数の縦桟とを少なくとも有する前記枠体が収納され、その各縦桟は、これが前記凹部内で折り畳まれた折畳み状態と、前記凹部の上方に延びる展開状態とをとり得るよう折り畳み式に構成されていて、該折畳み状態では横桟を前記凹部内に収まる下降位置に、また該展開状態では横桟を床面から所定高さまで張出す上昇位置にそれぞれ保持可能であり、前記床蓋は、これが前記伏倒位置にあるときに前記枠体の内方側に隣接配置され、前記収容用凹部の内面は、床スラブに固定される縁枠で覆われていて、その縁枠に前記枠体の横桟が縦桟を介して連結され、前記他端側の蓋体の自由端部に回転自在に支持したローラが、前記枠体の内方側で前記縁枠上を転動可能であることを特徴とする。
【００１０】
また請求項５の発明は、請求項１又は２の発明の特徴に加えて、前記床蓋は、各々長方形状に形成されて互いに隣接する複数の蓋体の隣接端部相互を屈折可能に枢支連結して構成されると共に、その一端側の蓋体の外端が前記開口周縁部に枢支連結され、また他端側の蓋体の自由端部に前記チェーンの前記一端が連結されることを特徴とする。
【００１１】
また請求項６の発明は、請求項３，４又は５の発明の前記特徴に加えて、前記収容用凹部の内面は、床スラブに固定される縁枠で覆われていて、その縁枠に前記枠体の横桟が縦桟を介して連結され、前記他端側の蓋体の自由端部に回転自在に支持したローラが、前記枠体の内方側で前記縁枠上を転動可能であることを特徴とする。
【００１２】
尚、本発明において、「床スラブ」とは、後述する実施形態のように鉄筋コンクリートの打ち放しで構成されるものが含まれることは元より、鉄筋コンクリート製の床スラブ本体の上面に仕上げ材、補強材、保護材、その他の表層材を積層、一体化したものも含まれる。
【発明の効果】
【００１３】
本発明によれば、床蓋は、これが伏倒位置にあるときに枠体の内方側に隣接配置されるので、床蓋と枠体とが、開口の閉塞状態でも上下に重なり合う配置とはならず、従って、床蓋には枠体を収容する干渉防止用凹部を特設する必要はなくなり、それだけ床蓋の構造簡素化、延いてはコスト節減が図られる。
【００１４】
また開口周縁部の、床蓋が起伏可能に設置される辺以外の辺に、床面から一段下がった収納用凹部がそれぞれ形成されると共に、その各凹部に、開口周縁部に沿って直線状に延びる横桟と、この横桟及び凹部の内面間を連結する複数の縦桟とを有する前記枠体が収納され、その各縦桟は、これが凹部内で折り畳まれた折畳み状態と、凹部上方に延びる展開状態とをとり得るよう折り畳み式に構成されるので、伏倒位置の床蓋の周囲で枠体をコンパクトに折り畳んで収納可能となり、装置の小型化に寄与することができる。
【００１５】
また特に請求項１，２の各発明によれば、減速機付きのチェーン機構を用いたことにより、カウンタウエイト等の操作軽減用の大型重量部品を特別に使用せずとも床蓋を軽快に起伏駆動可能となって、起伏駆動装置の階下への張出しを無理なく回避可能となり、装置の更なる小型化に寄与することができる。
【００１６】
また特に請求項３〜５の各発明によれば、床蓋を屈折可能（折れ戸）としたことで、取り扱いが簡便になるばかりか、床蓋の起伏駆動力の軽減が図られ、起伏駆動装置の小型化やコスト節減に寄与することができる。
【００１７】
また特に請求項３，４の各発明によれば、ローラの転動によって、チェーンで牽引される他端側の蓋体の自由端部の動きをスムーズに且つ安定させることができ、しかも枠体の取付枠となる前記縁枠をローラ（即ち他端側の蓋体の自由端部）に対する移動案内レールに兼用でき、それだけ構造簡素化、延いてはコスト節減が図られる。
【図面の簡単な説明】
【００１８】
【図１】本発明に係る床スラブの開口開閉装置の第１実施形態を示す全体斜視図
【図２】前記装置の平面図（図１の２矢視図）
【図３】図２の３−３線拡大断面図
【図４】図２の４−４線拡大断面図
【図５】図２の５矢視部拡大平面図
【図６】図５の６−６線拡大断面図
【図７】図５の７−７線拡大断面図
【図８】図７の８−８線断面図
【図９】図２の９−９線断面図
【図１０】枠体の要部拡大斜視図（図３の１０矢視から見た斜視図）
【図１１】本発明の第２実施形態を示す要部斜視図
【図１２】本発明の第３実施形態を示す全体斜視図（図１対応図）
【図１３】本発明の第４実施形態を示す全体斜視図（図１対応図）
【発明を実施するための形態】
【００１９】
以下、本発明の実施の形態について、添付の図面を参照しながら説明する。
【００２０】
先ず、図１〜図１０を参照して、本発明の第１実施形態を説明する。尚、この実施形態は、請求項１の発明に対応する。
【００２１】
二階建て以上の倉庫等の建造物において、その階下空間Ｃ１と階上空間Ｃ２とが鉄筋コンクリート製の床スラブＳＬで仕切られており、この床スラブＳＬには、階下空間Ｃ１と階上空間Ｃ２間での物品（例えば資材、機器等）の移動を許容する矩形状の開口Ｈが、床スラブＳＬを上下に貫通するよう形成される。尚、その物品の移動は、例えば上階に設けたクレーン、ウインチ等の昇降装置により物品を階下空間Ｃ１と階上空間Ｃ２間で昇降させることにより行われる。
【００２２】
前記開口Ｈの周縁部の相対向する二辺には、互いに協働して該開口Ｈを塞ぎ得る一対の床蓋Ｔ，Ｔの基端（後述する蓋体Ｔｏの基端）がヒンジｈ１を介して枢支される。そして、この床蓋Ｔ，Ｔは、これが床面ｆとして機能する伏倒位置と、第１の安全柵として機能する起立位置との間を起伏動作できるようになっている。
【００２３】
また、前記開口Ｈの周縁部の相対向する他の二辺には、床面ｆから一段下がり且つ内方側が開口Ｈに臨む収納用凹部Ｈａが該二辺の全長に亘ってそれぞれ形成されており、それら凹部Ｈａには、第２の安全柵として機能し得る折り畳み式の枠体Ｓ１，Ｓ２がそれぞれ設けられる。
【００２４】
その収容用凹部Ｈａの内面は、水平枠部Ｆｈと鉛直枠部Ｆｖとを有して床スラブＳＬに固定される横断面Ｌ字状の縁枠Ｆで覆われる。そして、その凹部Ｈａ内には、前記枠体Ｓ１，Ｓ２が折り畳んだ状態で収納できるようになっており、その枠体Ｓ１，Ｓ２の内方側に、前記伏倒位置にあるときの床蓋Ｔ，Ｔが隣接配置される。即ち、床蓋Ｔ，Ｔは、これが伏倒位置にあるときに、該床蓋Ｔ，Ｔの側縁部が凹部Ｈａ内に在って枠体Ｓ１，Ｓ２と近接、対向している。
【００２５】
各々の枠体Ｓ１，Ｓ２は、前記他の二辺に沿って直線状に延びる横桟Ｓｙと、この横桟Ｓｙの直下でこれと平行するよう直線状に延びる収納ボックスＳｂと、この収納ボックスＳｂ及び横桟Ｓｙ間を連結する複数の縦桟Ｓｔとで構成されており、その収納ボックスＳｂは、凹部Ｈａの内面に前記縁枠Ｆを介して載置、固定される。而して、複数の縦桟Ｓｔは、その各々の一端が横桟Ｓｙに枢支連結される一方、その他端が、収納ボックスＳｂ及び縁枠Ｆを介して凹部Ｈａの内面に枢支連結される。
【００２６】
その各縦桟Ｓｔは、これが凹部Ｈａ（即ち収納ボックスＳｂ）内で折り畳まれた折畳み状態と、その凹部Ｈａの上方に直線状に延びる鉛直の展開状態とをとり得るよう折り畳み式に構成されていて、その折畳み状態では横桟Ｓｙを前記凹部Ｈａ内に収まる下降位置に、また前記展開状態では横桟Ｓｙを床面ｆから所定高さまで張出す上昇位置にそれぞれ保持可能である。
【００２７】
各縦桟Ｓｔの構造を具体的に説明すると、これは、各々直線状に形成されて互いに縦列配置される複数（図示例では２本）の縦桟要素１，２の隣接端部相互をヒンジｈ２を介して屈折可能に枢支連結して構成される。そして、下側の縦桟要素１の下端が前記収納ボックスＳｂにヒンジｈ３を介して回動可能に枢支され、また上側の縦桟要素２の上端が横桟Ｓｙにヒンジｈ４を介して回動可能に枢支される。そして、各縦桟Ｓｔは、縦桟要素１，２相互を屈折させるようにして凹部Ｈａ内で折り畳まれた折畳み状態と、縦桟要素１，２相互を凹部Ｈａの上方に直線状に延ばした展開状態とをとり得るよう構成される。
【００２８】
その折り畳み状態の縦桟Ｓｔと横桟Ｓｙとは、凹部Ｈａ内、特に前記収納ボックスＳｂ内に収容される。この収納ボックスＳｂは、図４等に示されるように横断面が上向きに開口したコ字状のチャンネル枠より構成されていて、その底壁が縁枠Ｆの水平枠部Ｆｈ上に載置、固定される。そして、横桟Ｓｙは、これが前記下降位置にあるときに収納ボックスＳｂの開放上面を閉じる蓋を兼ね、また床面の一部にもなる。
【００２９】
また収納ボックスＳｂと下側の縦桟要素１との間には、該縦桟要素１の起立状態をロックし得る第１ロック手段Ｌ１が設けられ、この第１ロック手段Ｌ１は、図示例では収納ボックスＳｂに固定のロック片３と、縦桟要素１を貫通してロック片３に螺合されるボルト４とで構成される。一方、相隣なる縦桟要素１，２の相互間には、それら縦桟要素１，２の起立状態をロックし得る第２ロック手段Ｌ２が設けられ、この第２ロック手段Ｌ２は、図示例では一方の縦桟要素２に固定のロック片５と、縦桟要素２を貫通してロック片５に螺合されるボルト６とで構成される。
【００３０】
従って、その両ロック手段Ｌ１，Ｌ２により両縦桟要素１，２を起立状態にロックすれば、縦桟Ｓｔを前記展開状態に保持して横桟Ｓｙを床面ｆから所定高さの前記上昇位置に保持することができる。
【００３１】
また各々の床蓋Ｔは、各々長方形状に形成されて互いに隣接する複数（図示例では一対）の蓋体Ｔｉ，Ｔｏの隣接端部相互をヒンジｈ５を介して上方に屈折可能に枢支連結して構成される。その複数の蓋体Ｔｉ，Ｔｏのうち一端側（外寄り）の蓋体Ｔｏの外端は、前記ヒンジｈ１を介して回動可能に枢支連結される。また、その他端側（中央寄り）の蓋体Ｔｉの自由端部にはローラＲが回転自在に支持されており、そのローラＲは、前記枠体Ｓ１，Ｓ２の内方側で縁枠Ｆ（即ち水平枠Ｆｈ）上を縁枠Ｆに沿って転動可能である。
【００３２】
而して各々の床蓋Ｔは、それの両蓋体Ｔｉ，Ｔｏを開口Ｈを塞ぐように伏倒させた状態では床面ｆと面一となって床面の一部を構成し、またその両蓋体Ｔｉ，Ｔｏを上方に屈折させるように（即ち前記ヒンジｈ５がせり上がるように）起立回動させた状態では開口Ｈが大きく開かれる。
【００３３】
各蓋体Ｔｉ，Ｔｏは、図示例では長方形状の平板に補強リブとなる複数の角パイプを結合一体化したものが用いられるが、この構造に代えて、複数の棒材を枠組みしたものや、補強無しの単なる平板で各蓋体Ｔｉ，Ｔｏを構成してもよい。
【００３４】
更に各々の床蓋Ｔ（図示例では蓋体Ｔｉ）と床スラブＳＬとの間には、該床蓋Ｔを強制的に起伏駆動し得る起伏駆動装置Ｄが設けられる。
【００３５】
その起伏駆動装置Ｄは、図示例では床蓋Ｔ（中央寄りの蓋体Ｔｉの自由端部の両側部）に一端が各々連結される一対のチェーンＣＨと、それらチェーンＣＨの中間部がそれぞれ巻き付けられるようにして開口Ｈの周縁部に回転自在に軸支される一対のスプロケットＳＰと、回転力を入力可能な入力部としての操作入力部Ｇｉを有し且つ該操作入力部Ｇｉに加わる回転操作力を減速してスプロケットＳＰに伝達する単一の減速機Ｇと、スプロケットＳＰを任意の回転位置に保持し得るブレーキ手段とを備える。
【００３６】
前記操作入力部Ｇｉは、これに抜差可能に係合させた工具１０で作業員が上方から随時に回転操作することができ、この回転に連動してスプロケットＳＰを回転駆動すれば、チェーンＣＨを介して床蓋Ｔの中央寄りの蓋体Ｔｉを外方側（即ち開口Ｈの中央より遠ざかる側）に牽引駆動できる。これにより、その牽引駆動された蓋体Ｔｉと、その外側に隣接して連動する蓋体Ｔｏとを、その両者の屈折部（ヒンジｈ３）が上方にせり上がるように起立回動させることができる。
【００３７】
尚、図７において、２０は、チェーンＣＨがスプロケットＳＰから外れるのを抑える円弧状の外れ止め用チェーンガイドであり、また２１は、チェーンＣＨの自由端側を収容する受け皿であり、また２２は、縁枠Ｆの端部を支持する支持具であって、何れも床スラブＳＬに着脱可能に固定される。
【００３８】
前記減速機Ｇは、開口Ｈの周縁部のコーナ近傍に設けられた縦溝状凹所Ｈｂに収容、固定されたハウジング７と、そのハウジング７内に配設されたウォームギヤ機構８とで構成される。そのウォームギヤ機構８は、前記操作入力部Ｇｉが同軸上で連結（図示例では一体に形成）されハウジング７に回転自在に支持されたウォーム８ａと、これに噛合すべく同じくハウジング７に回転自在に支持されたウォームホイール８ｂとで構成され、このウォームホイール８ｂと一体の軸部がジョイントＪを介してスプロケット軸１１に連動、連結される。
【００３９】
そのスプロケット軸１１は、床スラブＳＬに複数の軸受ｂを介して回転自在に支持されており、このスプロケット軸１１の両端部に一対のスプロケットＳＰがそれぞれ固定される。その各スプロケットＳＰ及びスプロケット軸１１は、外寄りの蓋体Ｔｏの基端直下で開口Ｈの周縁部に近接配置されており、開口Ｈを通過する荷物の移動の邪魔とならないような配置となっている。尚、前記凹所Ｈｂの開放上面は、常時開放としてもよいが、必要に応じて開閉蓋（図示せず）を設置して、この蓋で開閉可能に覆うようにしてもよい。
【００４０】
而してウォーム８ａの停止状態では、ウォーム８ａとウォームホイール８ｂとの噛合部に働く摩擦力（即ちセルフロック機能）で、ウォームホイール８ｂ側からウォーム８ａを回転させることができず、ウォームホイール８ｂの回転位置、延いてはスプロケットＳＰを回転位置に固定、保持できる。即ち、図示例では、ウォームギヤ機構８がスプロケットＳＰに対する前記ブレーキ手段として機能する。
【００４１】
これにより、スプロケットＳＰを任意の回転位置に保持することができ、また床蓋Ｔを起立位置まで起立回動させたときに、その起立位置に床蓋Ｔを固定、保持することができる。尚、前記ウォームギヤ機構８を、セルフロック機能を備えた他の減速歯車機構に置換してもよく、尚また、減速機Ｇが例えば平歯車列より構成されるような場合は、スプロケットＳＰを任意の回転位置に保持するために、バンドブレーキ等の公知のブレーキ手段をスプロケットＳＰ又はスプロケット軸１１と床スラブＳＬとの間に設けるようにしてもよい。
【００４２】
また図３に示すように、起立状態にある床蓋Ｔ（図示例では中央寄りの蓋体Ｔｉ）の上端部と、同じく起立展開状態にある枠体Ｓ１，Ｓ２（図示例では横桟Ｓｙ）の上端部との間は、その間を係脱可能に係止させる係止棒３０で連結される。これにより、第１安全柵として機能する床蓋Ｔと、第２安全柵として機能する枠体Ｓ１，Ｓ２とを相互に補強し、全体として安全柵機能を強化することができる。
【００４３】
更に起立状態にある床蓋Ｔ（図示例では外寄りの蓋体Ｔｏ）の上端部からは補助枠３１を延出させて、床蓋Ｔの有効高さを嵩上げできるようになっている。この補助枠３１は、外方側の蓋体Ｔｏの中空部に大部分が収納された格納位置と、その蓋体Ｔｏの上端部から上方に延出する張出位置との間をスライドできるように該蓋体Ｔｏに設けられ、通常は格納位置に保持される。そして、その補助枠３１は、これの基部を抜差可能に貫通して蓋体Ｔｏの端面に係合し得る係止ピン３２と、補助枠３１の基端膨大部３１ａとよりなるロック手段により前記張出位置にロック可能である。
【００４４】
次に前記第１実施形態の作用を説明する。床スラブＳＬの開口Ｈは平時は、伏倒位置にある一対の床蓋Ｔで全部、閉じられており、このとき一対の枠体Ｓ１，Ｓ２は各々折り畳み状態であって、開口Ｈ周縁部の、床面ｆから一段下がった収納用凹部Ｈａ内にコンパクトに格納されている。そして、この状態では床蓋Ｔの上面及び枠体Ｓ１，Ｓ２の横桟Ｓｙの上面は、床面ｆの一部をなし、その上を歩行者等が通ることができる。尚、図１〜１０では、本実施形態の構造を判り易く説明するために、便宜上、各一対ある床蓋Ｔ及び枠体Ｓ１，Ｓ２の各一方だけを起立位置にそれぞれ保持した状態に描いてある。
【００４５】
また前記開口Ｈを開く場合には、起伏駆動装置Ｄを用いて床蓋Ｔを起立位置まで回動させると共に、折り畳み状態の枠体Ｓ１，Ｓ２を床面ｆから立ち上がる展開状態まで展開させ、この状態では、床蓋Ｔ及び枠体Ｓ１，Ｓ２は、開口Ｈの周縁部から立ち上がって開口Ｈの四方を取り囲む第１及び第２安全柵として機能する。そして、この開口Ｈの開放状態においては、階下空間Ｃ１と階上空間Ｃ２との間で、上階に設置したクレーン、ウインチ等の昇降装置（図示せず）を用いて機器や資材等の物品を搬入、搬出させることができる。
【００４６】
また本実施形態において、床蓋Ｔは、これが伏倒位置にあるときに枠体Ｓ１，Ｓ２の内方側に隣接配置されるため、床蓋Ｔと枠体Ｓ１，Ｓ２とが、開口Ｈの閉塞状態（即ち床蓋Ｔの伏倒状態）であっても上下に重なり合う配置とはならない。従って、床蓋Ｔには枠体Ｓ１，Ｓ２を収納する干渉防止用凹部を特別に設ける必要はなくなり、それだけ床蓋Ｔの構造簡素化、延いてはコスト節減が図られる。
【００４７】
また本実施形態において、枠体Ｓ１，Ｓ２は、開口Ｈの周縁部に沿って延びる収納用凹部Ｈａ内で折り畳まれた折畳み状態と、凹部Ｈａ上方に直線状に延びる展開状態とをとり得るよう折り畳み式に構成されており、特にその枠体Ｓ１，Ｓ２の縦桟Ｓｔが折り畳まれた状態では横桟Ｓｙを凹部Ｈａ内に収まる下降位置に、また縦桟Ｓｔの展開状態では横桟Ｓｙを床面ｆから所定高さまで張出す上昇位置にそれぞれ保持可能であるため、伏倒位置の床蓋Ｔの両側で枠体Ｓ１，Ｓ２をコンパクトに折り畳んで収納でき、装置の小型化が図られる。また、床蓋Ｔが伏倒位置に在っても、これと干渉することなく枠体Ｓ１，Ｓ２を随時に展開したり折り畳んだりすることができる。
【００４８】
更に本実施形態では、床蓋Ｔの起伏駆動装置Ｄが、床蓋Ｔに一端が連結されるチェーンＣＨと、そのチェーンＣＨの中間部が巻き付けられるようにして開口Ｈ周縁部に軸支されるスプロケットＳＰと、操作入力部Ｇｉに加わる回転力を減速してスプロケットＳＰに伝達するブレーキ手段付きの減速機Ｇとを備えるので、従来装置のようにカウンタウエイト等の操作軽減用の大型重量部品を特別に使用せずとも床蓋Ｔを軽快に起伏駆動可能となり、これにより、起伏駆動装置Ｄの階下への張出しを極力回避できるようになり、装置の更なる小型化に寄与することができる。
【００４９】
その上、本実施形態で床蓋Ｔは、各々長方形状に形成されて互いに隣接する複数の蓋体Ｔｉ，Ｔｏの隣接端部相互を屈折可能に枢支連結して（即ち折れ戸構造に）構成され、その中央寄りの蓋体Ｔｉの自由端部にチェーンＣＨの一端が連結されるため、床蓋Ｔを起伏駆動する際の傾動モーメントを効果的に小さくできて、起伏駆動力の更なる軽減が図られ、これにより起伏駆動装置Ｄの小型化やコスト節減が図られる。
【００５０】
更に本実施形態において、収容用凹部Ｈの内面は、床スラブＳＬに固定される縁枠Ｆで覆われていて、その縁枠Ｆ上の収納ボックスＳｂに枠体Ｓ１，Ｓ２の横桟Ｓｙが縦桟Ｓｔを介して連結される。そして、中央寄りの蓋体Ｔｉの自由端部に回転自在に支持したローラＲが、枠体Ｓ１，Ｓ２の内方側で縁枠Ｆ上を転動可能であるため、そのローラＲの転動によって、チェーンＣＨで牽引される中央寄りの蓋体Ｔｉの自由端部の動きをスムーズにし且つ安定させることができ、しかも枠体Ｓ１，Ｓ２の取付枠となる縁枠ＦをローラＲ（即ち中央寄りの蓋体Ｔｉの自由端部）に対する移動案内レールに兼用できることから、それだけ構造簡素化、延いてはコスト節減が図られる。
【００５１】
次に図１１を参照して第２の実施形態を説明する。この実施形態では、枠体Ｓ１，Ｓ２（横桟Ｓｙ）が起立位置にあるときの高さと、床蓋Ｔの補助柵３１による嵩上げ高さとを揃えるべく、枠体Ｓ１，Ｓ２を大型に（即ち展開状態での高さが高くなるように）構成している。この場合、起立状態にある床蓋Ｔ（図示例では中央寄りの蓋体Ｔｉ）の上端部と、同じく起立展開状態にある枠体Ｓ１，Ｓ２（図示例では横桟Ｓｙ）の上端部との間は、その間を係脱可能に係止させる、上下方向に長い係止棒３０′で連結されており、これにより、第１安全柵として機能する床蓋Ｔと、第２安全柵として機能する枠体Ｓ１，Ｓ２の安全柵機能を強化することができる。その他の構成は、第１実施形態と基本的に同様であるので、説明を省略する。
【００５２】
次に図１２を参照して第３実施形態を説明する。この実施形態は、請求項２の発明に対応するものであって、開口Ｈの周縁部の一辺に、該開口Ｈを単独で塞ぎ得る単一の床蓋Ｔの基端（蓋体Ｔｏの基端）がヒンジｈ１を介して枢支される。そして、この床蓋Ｔは、前記実施形態の床蓋Ｔと同様、床面ｆとして機能する伏倒位置と、第１の安全柵として機能する起立位置との間を起伏動作できるようになっているが、床蓋Ｔが開口Ｈを単独で塞ぎ得るように、床蓋Ｔを分割構成する蓋体Ｔｉ，Ｔｏが前記実施形態のものより大型に形成される。
【００５３】
また開口Ｈの周縁部の他の三辺には、床面ｆから一段下がった収納用凹部Ｈａが該三辺に沿ってそれぞれ形成され、それらの凹部Ｈａには、前記実施形態の枠体Ｓ１，Ｓ２と同様の折り畳み構造を有する枠体Ｓ１〜Ｓ３がそれぞれ収納される。
【００５４】
その他の構成は、第１実施形態と基本的に同様であるので、各構成要素に第１実施形態と同様の参照符号を付すにとどめ、説明を省略する。
【００５５】
次に図１３を参照して第４実施形態を説明する。この実施形態も請求項２の発明に対応するものであり、第３実施形態の変形例と言えるものである。即ち、この実施形態でも、開口Ｈの周縁部の一辺に、該開口Ｈを単独で塞ぎ得る単一の床蓋Ｔの基端（蓋体Ｔｏの基端）がヒンジｈ１を介して枢支され、この床蓋Ｔが、床面ｆとして機能する伏倒位置と、第１の安全柵として機能する起立位置との間を起伏動作可能となっているが、この床蓋Ｔは、各々長方形状に形成されて互いに隣接する４個の蓋体Ｔｉ，Ｔｉ′，Ｔｏ′，Ｔｏの隣接端部相互をヒンジｈ５，ｈ５′，ｈ５″を介して上方に屈折可能に枢支連結して構成される。その４個の蓋体Ｔｉ，Ｔｉ′，Ｔｏ′，Ｔｏのうち一端側（外寄り）の蓋体Ｔｏの外端は、前記ヒンジｈ１を介して回動可能に枢支連結される。また、その他端側（中央寄り）の蓋体Ｔｉの自由端部にはローラＲが回転自在に支持されており、そのローラＲは、前記枠体Ｓ１〜Ｓ３の内方側で縁枠Ｆ（即ち水平枠Ｆｈ）上を縁枠Ｆに沿って転動可能である。
【００５６】
尚、図示はしないが、中間の２個の蓋体Ｔｉ′，Ｔｏ′のうちの少なくとも一方の下端部にも、前記ローラＲと同様の、縁枠Ｆに沿って転動可能なローラを回転自在に取付けるようにしてもよく、この場合には、床蓋Ｔが多数の蓋体Ｔｉ，Ｔｉ′，Ｔｏ′，Ｔｏで構成されても、その屈折動作の円滑化を図ることができる。
【００５７】
その他の構成は、第１実施形態と基本的に同様であるので、各構成要素に第１実施形態と同様の参照符号を付すにとどめ、説明を省略する。
【００５８】
而して本第４実施形態によれば、床蓋Ｔが開口Ｈを単独で塞ぎ得るよう大型に構成されても、その床蓋Ｔを４個の蓋体Ｔｉ，Ｔｉ′，Ｔｏ′，Ｔｏより分割構成した折れ戸構造としたことで、床蓋Ｔが起伏状態にあるときの全高が低く抑えられ（即ち第３実施形態の床蓋Ｔよりも全高が半減となり）、取り扱いが簡便になる等の利点がある。
【００５９】
以上、本発明の実施の形態について説明したが、本発明は上記実施の形態に限定されるものではなく、特許請求の範囲に記載された本発明を逸脱することなく種々の設計変更を行うことが可能である。
【００６０】
例えば、前記実施形態では、床蓋Ｔに対する起伏駆動装置Ｄを手動で駆動するようにしたものを示したが、本発明では、減速機Ｇ（ウォームギヤ機構）の入力側に電動モータ等のアクチュエータを連動、連結して起伏駆動装置Ｄをアクチュエータの駆動力で強制駆動するようにしてもよい。
【００６１】
また前記実施形態では、床蓋Ｔを屈折可能な複数の蓋体Ｔｉ，Ｔｏ（Ｔｉ，Ｔｉ′，Ｔｏ′，Ｔｏ）で折れ戸式に構成したものを示したが、本発明では、床蓋Ｔを屈折不能な一枚板より構成してもよい。
【００６２】
また前記実施形態では、床蓋Ｔを通気性のない平板状に構成したものを示したが、本発明では、歩行の障害とならない小さな通気孔やスリットを床蓋Ｔに設けたり或いは床蓋Ｔを骨格状に枠組みしたりすることで床蓋Ｔに通気性を持たせるように構成してもよい。
【００６３】
また、前記実施形態では、枠体Ｓ１，Ｓ２の各縦桟Ｓｔ（縦桟要素１）の下端が収納ボックスＳｂ及び縁枠Ｆを介して凹部Ｈａの内面に枢支連結されたものを示したが、本発明では、収納ボックスＳｂを省略して縦桟Ｓｔ（縦桟要素１）の下端を縁枠Ｆに直接、枢支連結してもよい。
【００６４】
また、前記実施形態では、凹部Ｈａの内面に縁枠Ｆを被着したものを示したが、本発明（請求項１，２）では、縁枠Ｆを省略して、凹部Ｈａの内面に収納ボックスＳｂを直接固定したり或いはローラＲを転動させたりしてもよい。或いはまた、縁枠Ｆのみならず、収納ボックスＳｂも省略して、縦桟Ｓｔ（縦桟要素１）の下端を凹部Ｈａの内面に直接、枢支連結してもよい。
【符号の説明】
【００６５】
ＣＨ・・・・・チェーン
Ｃ１・・・・・階下空間
Ｃ２・・・・・階上空間
Ｄ・・・・・・床蓋の起伏駆動装置
Ｈ・・・・・・開口
Ｆ・・・・・・縁枠
ｆ・・・・・・床面
Ｇｉ・・・・・減速機の入力部としての操作入力部
Ｇ・・・・・・減速機
Ｈａ・・・・・収納用凹部
Ｒ・・・・・・ローラ
Ｓ１〜Ｓ３・・枠体
ＳＬ・・・・・床スラブ
ＳＰ・・・・・スプロケット
Ｓｔ・・・・・縦桟
Ｓｙ・・・・・横桟
Ｔ・・・・・・床蓋
Ｔｉ，Ｔｉ′，Ｔｏ′，Ｔｏ・・蓋体
８・・・・・・ブレーキ手段としてのウォームギヤ機構
【図１】
0005639629.tif 000002
【図２】
0005639629.tif 000003
【図３】
0005639629.tif 000004
【図４】
0005639629.tif 000005
【図５】
0005639629.tif 000006
【図６】
0005639629.tif 000007
【図７】
0005639629.tif 000008
【図８】
0005639629.tif 000009
【図９】
0005639629.tif 000010
【図１０】
0005639629.tif 000011
【図１１】
0005639629.tif 000012
【図１２】
0005639629.tif 000013
【図１３】
0005639629.tif 000014